(57)【要約】【課題】簡素な構成でコストが安く、簡素な構成でコストが安く、各種の野菜等の商品に簡単な段取り変更で対応可能であるとともに、作業者の熟練度に対応して熟練者にも初心者にも効率の良い作業が可能であり、且つ、葉物等の軟弱野菜の秤量において軟弱野菜を傷つけることなく、葉物等の広がった形状であっても正確な秤量が可能な組み合わせ計量機用計量皿、組み合わせ計量機及び組み合わせ計量機による計量方法を実現する。【解決手段】計量皿は葉物野菜等を保持する側面の立ち上がり部を有し、且つ、該計量皿は計量機の設置された平面に対して傾斜して設置される構造を有するようにする。また、組み合わせ計量機用計量皿が粘弾性材質で作られていることを特徴とする。【選択図】図１
2017138184.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機に用いられる計量皿に関し、
特に葉物野菜等の軟弱且つ長さと重量の偏在のある対象に適合するものであって、
該計量皿は葉物野菜等を保持する側面の立ち上がり部を有し、
且つ、該計量皿は計量機の設置された平面に対して傾斜して設置される構造を有することを特徴とする、
組み合わせ計量機用計量皿。
【請求項２】
該計量皿は、
葉物野菜等を保持する側面の立ち上がり部が、平面に対して傾斜して設置された位置のうち下部にあたる位置と、左右の側面にあたる位置の３部分に形成されてなり、
葉物野菜等の株部位が前記平面に対して傾斜して設置された位置のうち下部にあたる位置にある立ち上がり部により保持され、
葉物野菜等の葉部が左右の側面にあたる位置前記にある立ち上がり部により保持されて、
軟弱な葉物野菜に於いても高精度で計量が可能なことを特徴とする、
請求項１記載の、組み合わせ計量機用計量皿。
【請求項３】
該計量皿は、
さらに葉物野菜等を保持する側面の立ち上がり部が、平面に対して傾斜して設置された位置のうち上部にあたる位置にも形成されてなり、
葉物以外の軟弱な野菜に於いても高精度で計量が可能なことを特徴とする、
請求項１又は２記載の、組み合わせ計量機用計量皿。
【請求項４】
該計量皿は、
計量機の設置された平面に対して傾斜して設置するために該該計量皿の背面に略Ｖ字型の部材を有してなり、
該略Ｖ字型の部材によって秤量部に対して計量皿が傾斜して設置され、
葉物野菜等の軟弱且つ長さと重量の偏在のある対象を安定して保持し、高精度で計量が可能なことを特徴とする、
請求項１乃至３のいずれか一に記載の、組み合わせ計量機用計量皿。
【請求項５】
該計量皿の側面の立ち上がり部は、
１cm以上２０cm以下であることを特徴とする、
請求項１乃至４のいずれか一に記載の、組み合わせ計量機用計量皿。
【請求項６】
該計量皿の側面の立ち上がり部は、
１cm以上１０cm以下であることを特徴とする、
請求項５に記載の、組み合わせ計量機用計量皿。
【請求項７】
該計量皿の側面の立ち上がり部は、
立ち上がり部において、傾斜した切り欠きを有する面を含むことを特徴とする、
請求項１乃至６のいずれか一に記載の、組み合わせ計量機用計量皿。
【請求項８】
該計量皿の側面の立ち上がり部は、
立ち上がり部において、一部が外側に広がった形状の部分を有する面を含むことを特徴とする、
請求項１乃至７のいずれか一に記載の、組み合わせ計量機用計量皿。
【請求項９】
該計量皿は、
粘弾性材質で作られていることを特徴とする、
請求項１乃至８のいずれか一に記載の、組み合わせ計量機用計量皿。
【請求項１０】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項９に記載の、組み合わせ計量機用計量皿。
【請求項１１】
該計量皿は、
一部あるいは全体が透光性の部材で形成され、
該透光性の部材の部位から該選択された最適組み合わせの重量計測部位を示す指示機構の指示を視認しうることを特徴とする、
請求項１乃至１０のいずれか一に記載の、組み合わせ計量機用計量皿。
【請求項１２】
該計量皿に用いる略Ｖ字型の部材は、
角度を調整する機構を備えることを特徴とする、
請求項１乃至１１のいずれか一に記載の、組み合わせ計量機用計量皿。
【請求項１３】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量器に用いられる計量皿が特に葉物野菜等の軟弱且つ長さと重量の偏在のある対象に適合するものであって、
該計量皿は葉物野菜等を保持する側面の立ち上がり部を有し、
且つ、該計量皿は計量機の設置された平面に対して傾斜して設置される構造を有するものを用いたことを特徴とする、
組み合わせ計量機。
【請求項１４】
該計量皿は、
葉物野菜等を保持する側面の立ち上がり部が、平面に対して傾斜して設置された位置のうち下部にあたる位置と、左右の側面にあたる位置の３部分に形成されてなり、
葉物野菜等の株部位が前記平面に対して傾斜して設置された位置のうち下部にあたる位置にある立ち上がり部により保持され、
葉物野菜等の葉部が左右の側面にあたる位置前記にある立ち上がり部により保持されて、
軟弱な葉物野菜に於いても高精度で計量が可能なことを特徴とする、
請求項１３記載の、組み合わせ計量機。
【請求項１５】
該計量皿は、
さらに葉物野菜等を保持する側面の立ち上がり部が、平面に対して傾斜して設置された位置のうち上部にあたる位置にも形成されてなり、
葉物以外の軟弱な野菜に於いても高精度で計量が可能なことを特徴とする、
請求項１３又は１４記載の、組み合わせ計量機。
【請求項１６】
該計量皿は、
計量機の設置された平面に対して傾斜して設置するために該該計量皿の背面に略Ｖ字型の部材を有してなり、
該略Ｖ字型の部材によって秤量部に対して計量皿が傾斜して設置され、
葉物野菜等の軟弱且つ長さと重量の偏在のある対象を安定して保持し、高精度で計量が可能なことを特徴とする、
請求項１３乃至１５のいずれか一に記載の、組み合わせ計量機。
【請求項１７】
該計量皿の側面の立ち上がり部は、
１cm以上２０cm以下であることを特徴とする、
請求項１３乃至１６のいずれか一に記載の、組み合わせ計量機。
【請求項１８】
該計量皿の側面の立ち上がり部は、
１cm以上１０cm以下であることを特徴とする、
請求項１７に記載の、組み合わせ計量機。
【請求項１９】
該計量皿の側面の立ち上がり部は、
立ち上がり部において、傾斜した切り欠きを有する面を含むことを特徴とする、
請求項１３乃至１８のいずれか一に記載の、組み合わせ計量機。
【請求項２０】
該計量皿の側面の立ち上がり部は、
立ち上がり部において、一部が外側に広がった形状の部分を有する面を含むことを特徴とする、
請求項１３乃至１９のいずれか一に記載の、組み合わせ計量機。
【請求項２１】
該計量皿は、
粘弾性材質で作られていることを特徴とする、
請求項１３乃至２０のいずれか一に記載の、組み合わせ計量機。
【請求項２２】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項２１に記載の、組み合わせ計量機。
【請求項２３】
該計量皿は、
一部あるいは全体が透光性の部材で形成され、
該透光性の部材の部位から該選択された最適組み合わせの重量計測部位を示す指示機構の指示を視認しうることを特徴とする、
請求項１３乃至２２のいずれか一に記載の、組み合わせ計量機。
【請求項２４】
該計量皿に用いる略Ｖ字型の部材は、
角度を調整する機構を備えることを特徴とする、
請求項１３乃至２３のいずれか一に記載の、組み合わせ計量機。
【請求項２５】
該組み合わせ計量機において、
該選択された最適組み合わせの重量計測部位を示す指示機構が灯火によるものであることを特徴とする、
請求項１３乃至２４のいずれか一に記載の、組み合わせ計量機。
【請求項２６】
該組み合わせ計量機において、
該選択された最適組み合わせの重量計測部位を示す指示機構のうちの灯火は、
着色灯火によることを特徴とする、
請求項２５記載の組み合わせ計量機。
【請求項２７】
該組み合わせ計量機において、
該選択された最適組み合わせの重量計測部位を示す指示機構は、
ＬＥＤによることを特徴とする、
請求項２６記載の組み合わせ計量機。
【請求項２８】
該組み合わせ計量機において、
該選択された最適組み合わせの重量計測部位を示す指示機構が音声によるもの或いは音声と灯火の併用によるものであることを特徴とする、
請求項１３乃至２７のいずれか一に記載の、組み合わせ計量機。
【請求項２９】
該組み合わせ計量機において、
該選択された最適組み合わせの重量計測部位を示す指示機構のうちの音声による指示機構は、
ブザー又はスピーカーによることを特徴とする、
請求項２８記載の組み合わせ計量機。
【請求項３０】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量器に用いられる計量皿が特に葉物野菜等の軟弱且つ長さと重量の偏在のある対象に適合するものであって、
該計量皿は葉物野菜等を保持する側面の立ち上がり部を有し、
且つ、該計量皿は計量機の設置された平面に対して傾斜して設置される構造を有するものを用い、
葉物野菜等の軟弱且つ長さと重量の偏在のある対象を安定的且つ素早く組み合わせ計量が可能なことを特徴とする、
組み合わせ計量機による計量方法。
【請求項３１】
該計量皿は、
葉物野菜等を保持する側面の立ち上がり部が、平面に対して傾斜して設置された位置のうち下部にあたる位置と、左右の側面にあたる位置の３部分に形成されてなり、
葉物野菜等の株部位が前記平面に対して傾斜して設置された位置のうち下部にあたる位置にある立ち上がり部により保持され、
葉物野菜等の葉部が左右の側面にあたる位置前記にある立ち上がり部により保持されて、
軟弱な葉物野菜に於いても高精度で計量が可能なことを特徴とする、
請求項３０記載の、組み合わせ計量機による計量方法。。
【請求項３２】
該計量皿は、
さらに葉物野菜等を保持する側面の立ち上がり部が、平面に対して傾斜して設置された位置のうち上部にあたる位置にも形成されてなり、
葉物以外の軟弱な野菜に於いても高精度で計量が可能なことを特徴とする、
請求項３０又は３１記載の、組み合わせ計量機による計量方法。
【請求項３３】
該計量皿は、
計量機の設置された平面に対して傾斜して設置するために該該計量皿の背面に略Ｖ字型の部材を有してなり、
該略Ｖ字型の部材によって秤量部に対して計量皿が傾斜して設置され、
葉物野菜等の軟弱且つ長さと重量の偏在のある対象を安定して保持し、高精度で計量が可能なことを特徴とする、
請求項３０乃至３２のいずれか一に記載の、組み合わせ計量機による計量方法。
【請求項３４】
該計量皿の側面の立ち上がり部は、
１cm以上２０cm以下であることを特徴とする、
請求項３０乃至３３のいずれか一に記載の、組み合わせ計量機による計量方法。
【請求項３５】
該計量皿の側面の立ち上がり部は、
１cm以上１０cm以下であることを特徴とする、
請求項３４に記載の、組み合わせ計量機による計量方法。
【請求項３６】
該計量皿の側面の立ち上がり部は、
立ち上がり部において、傾斜した切り欠きを有する面を含むことを特徴とする、
請求項３０乃至３５のいずれか一に記載の、組み合わせ計量機による計量方法。
【請求項３７】
該計量皿の側面の立ち上がり部は、
立ち上がり部において、一部が外側に広がった形状の部分を有する面を含むことを特徴とする、
請求項３０乃至３６のいずれか一に記載の、組み合わせ計量機による計量方法。
【請求項３８】
該計量皿は、
粘弾性材質で作られていることを特徴とする、
請求項３０乃至３７のいずれか一に記載の、組み合わせ計量機による計量方法。
【請求項３９】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項３８に記載の、組み合わせ計量機による計量方法。
【請求項４０】
該計量皿は、
一部あるいは全体が透光性の部材で形成され、
該透光性の部材の部位から該選択された最適組み合わせの重量計測部位を示す指示機構の指示を視認しうることを特徴とする、
請求項３０乃至３９のいずれか一に記載の、組み合わせ計量機による計量方法。
【請求項４１】
該計量皿に用いる略Ｖ字型の部材は、
角度を調整する機構を備えることを特徴とする、
請求項３０乃至４０のいずれか一に記載の、組み合わせ計量機による計量方法。
【請求項４２】
該組み合わせ計量機において、
該選択された最適組み合わせの重量計測部位を示す指示機構が灯火によるものであることを特徴とする、
請求項３０乃至４１のいずれか一に記載の、組み合わせ計量機による計量方法。
【請求項４３】
該組み合わせ計量機において、
該選択された最適組み合わせの重量計測部位を示す指示機構のうちの灯火は、
着色灯火によることを特徴とする、
請求項４２記載の組み合わせ計量機による計量方法。
【請求項４４】
該組み合わせ計量機において、
該選択された最適組み合わせの重量計測部位を示す指示機構は、
ＬＥＤによることを特徴とする、
請求項４３記載の組み合わせ計量機による計量方法。
【請求項４５】
該組み合わせ計量機において、
該選択された最適組み合わせの重量計測部位を示す指示機構が音声によるもの或いは音声と灯火の併用によるものであることを特徴とする、
請求項３０乃至４４のいずれか一に記載の、組み合わせ計量機による計量方法。
【請求項４６】
該組み合わせ計量機において、
該選択された最適組み合わせの重量計測部位を示す指示機構のうちの音声による指示機構は、
ブザー又はスピーカーによることを特徴とする、
請求項４５記載の組み合わせ計量機による計量方法。
【発明の詳細な説明】
【技術分野】
【０００１】
本発明は、野菜等を規定の重量以上且つ最小となる組み合わせを秤量するための組み合わせ計量機、特に葉物等の軟弱野菜の秤量に適する組み合わせ計量機用計量皿、組み合わせ計量機及び組み合わせ計量機による計量方法に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。
【０００６】
さらに、葉物等の軟弱野菜の秤量においては、通常の組み合わせ計量機及びこれに装備された計量皿によっては、その形状や材質により軟弱野菜を傷つける、或いは葉物等の広がった形状により正確な秤量が困難である、といった問題が生じていた。
【先行技術文献】
【特許文献】
【０００７】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００８】
これらの課題を解決するため、簡素な構成でコストが安く、各種の野菜等の商品に簡単な段取り変更で対応可能であるとともに、作業者の熟練度に対応して熟練者にも初心者にも効率の良い作業が可能であり、且つ、葉物等の軟弱野菜の秤量において軟弱野菜を傷つけることなく、葉物等の広がった形状であっても正確な秤量が可能な組み合わせ計量機用計量皿、組み合わせ計量機及び組み合わせ計量機による計量方法を実現することが本発明の目的である。
【課題を解決するための手段】
【０００９】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に用いられる計量皿に関し、特に葉物野菜等の軟弱且つ長さと重量の偏在のある対象に適合するものであって、該計量皿は葉物野菜等を保持する側面の立ち上がり部を有し、且つ、該計量皿は計量機の設置された平面に対して傾斜して設置される構造を有することを特徴とする、組み合わせ計量機用計量皿であり、これを備えた組み合わせ計量機であり、さらにこの組み合わせ計量機による計量方法である。
【００１０】
また本発明は、該組み合わせ計量機用計量皿、これを備えた組み合わせ計量機及び該組み合わせ計量機による計量方法に於いて、該組み合わせ計量機用計量皿が、葉物野菜等を保持する側面の立ち上がり部が、平面に対して傾斜して設置された位置のうち下部にあたる位置と、左右の側面にあたる位置の３部分に形成されてなり、葉物野菜等の株部位が前記平面に対して傾斜して設置された位置のうち下部にあたる位置にある立ち上がり部により保持され、葉物野菜等の葉部が左右の側面にあたる位置前記にある立ち上がり部により保持されて、軟弱な葉物野菜に於いても高精度で計量が可能なことを特徴とする。
【００１１】
また本発明は、該組み合わせ計量機用計量皿、これを備えた組み合わせ計量機及び該組み合わせ計量機による計量方法に於いて、該組み合わせ計量機用計量皿が、さらに葉物野菜等を保持する側面の立ち上がり部が、平面に対して傾斜して設置された位置のうち上部にあたる位置にも形成されてなり、葉物以外の軟弱な野菜に於いても高精度で計量が可能なことを特徴とする。
【００１２】
また本発明は、該組み合わせ計量機用計量皿、これを備えた組み合わせ計量機及び該組み合わせ計量機による計量方法に於いて、該組み合わせ計量機用計量皿が、計量機の設置された平面に対して傾斜して設置するために該該計量皿の背面に略Ｖ字型の部材を有してなり、該略Ｖ字型の部材によって秤量部に対して計量皿が傾斜して設置され、葉物野菜等の軟弱且つ長さと重量の偏在のある対象を安定して保持し、高精度で計量が可能なことを特徴とする。
【００１３】
また本発明は、該組み合わせ計量機用計量皿、これを備えた組み合わせ計量機及び該組み合わせ計量機による計量方法に於いて、該組み合わせ計量機用計量皿の側面の立ち上がり部は、１cm以上２０cm以下であることを特徴とする。なお、、該組み合わせ計量機用計量皿の側面の立ち上がり部は、１cm以上１０cm以下であることがより望ましい。
【００１４】
また本発明は、該組み合わせ計量機用計量皿、これを備えた組み合わせ計量機及び該組み合わせ計量機による計量方法に於いて、該計量皿の側面の立ち上がり部は立ち上がり部において、傾斜した切り欠きを有する面を含むことを特徴とする。
【００１５】
ままた本発明は、該組み合わせ計量機用計量皿、これを備えた組み合わせ計量機及び該組み合わせ計量機による計量方法に於いて、該計量皿の側面の立ち上がり部は立ち上がり部において、一部が外側に広がった形状の部分を有する面を含むことを特徴とする。
【００１６】
また本発明は、該組み合わせ計量機用計量皿、これを備えた組み合わせ計量機及び該組み合わせ計量機による計量方法に於いて、該組み合わせ計量機用計量皿が粘弾性材質で作られていることを特徴とし、該粘弾性材質は合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００１７】
また本発明は、該組み合わせ計量機用計量皿、これを備えた組み合わせ計量機及び該組み合わせ計量機による計量方法に於いて、該組み合わせ計量機用計量皿が一部あるいは全体が透光性の部材で形成され、該透光性の部材の部位から該選択された最適組み合わせの重量計測部位を示す指示機構の指示を視認しうることを特徴とする。
【００１８】
また本発明は、該組み合わせ計量機用計量皿、これを備えた組み合わせ計量機及び該組み合わせ計量機による計量方法に於いて、該計量皿に用いる略Ｖ字型の部材が、角度を調整する機構を備えることを特徴とする。
【発明の効果】
【００１９】
本発明に係る組み合わせ計量機は、簡素な構成でコストが安く、各種の野菜等の商品に簡単な段取り変更で対応可能であるとともに、作業者の熟練度に対応して熟練者にも初心者にも効率の良い作業が可能であり、且つ、葉物等の軟弱野菜の秤量において軟弱野菜を傷つけることなく、葉物等の広がった形状であっても正確な秤量が可能な組み合わせ計量機用計量皿、組み合わせ計量機及び組み合わせ計量機による計量方法を実現するという利点がある。
【図面の簡単な説明】
【００２０】
【図１】図１は、本発明に係る組み合わせ計量機用計量皿の形態を示す概念図である。
【図２】図２は、本発明に係る組み合わせ計量機用計量皿の他の形態を示す概念図である。
【図３】図３は、本発明に係る組み合わせ計量機の形態を示す概念図である。
【発明を実施するための形態】
【００２１】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に用いられる計量皿に関し、特に葉物野菜等の軟弱且つ長さと重量の偏在のある対象に適合するものであって、該計量皿は葉物野菜等を保持する側面の立ち上がり部を有し、且つ、該計量皿は計量機の設置された平面に対して傾斜して設置される構造を有することを主な特徴とする、組み合わせ計量機用計量皿であり、これを備えた組み合わせ計量機であり、さらにこの組み合わせ計量機による計量方法である。
【実施例１】
【００２２】
図１は、本発明に係る組み合わせ計量機用計量皿の形態を示す概念図である。本発明は、組み合わせ計量機用計量皿であり、これを備えた組み合わせ計量機であり、さらにこの組み合わせ計量機による計量方法である。該計量皿に秤量対象の野菜などを載置し、規定の重量以上且つ最小となる組み合わせを秤量、表示し、その表示に従って作業者がピックアップして袋詰め等の梱包を行う。
【００２３】
該計量皿は葉物野菜等を保持する側面の立ち上がり部を有し、且つ、該計量皿は計量機の設置された平面に対して傾斜して設置される構造を有する。さらに、該計量皿は葉物野菜等を保持する側面の立ち上がり部が、平面に対して傾斜して設置された位置のうち下部にあたる位置と、左右の側面にあたる位置の３部分に形成されてなり、葉物野菜等の株部位が前記平面に対して傾斜して設置された位置のうち下部にあたる位置にある立ち上がり部により保持され、葉物野菜等の葉部が左右の側面にあたる位置前記にある立ち上がり部により保持されて、軟弱な葉物野菜に於いても高精度で計量が可能な形状となっている。
【実施例２】
【００２４】
図２は、本発明に係る組み合わせ計量機用計量皿の他の形態を示す概念図である。本実施例に於いては、該組み合わせ計量機用計量皿が、さらに葉物野菜等を保持する側面の立ち上がり部が、平面に対して傾斜して設置された位置のうち上部にあたる位置にも形成されてなり、葉物以外の軟弱な野菜に於いても高精度で計量が可能な形状となっている。
【００２５】
いずれの実施例に於いても、該組み合わせ計量機用計量皿が、計量機の設置された平面に対して傾斜して設置するために該該計量皿の背面に略Ｖ字型の部材を有してなり、該略Ｖ字型の部材によって秤量部に対して計量皿が傾斜して設置され、葉物野菜等の軟弱且つ長さと重量の偏在のある対象を安定して保持し、高精度で計量が可能な形態とすることが出来る。
【００２６】
該組み合わせ計量機用計量皿の側面の立ち上がり部は、１cm以上２０cm以下とした。なお、、該組み合わせ計量機用計量皿の側面の立ち上がり部は、１cm以上１０cm以下であることがより望ましい。この立ち上がり部によって葉物野菜などの軟弱な秤量対象物を傷つけることなく安定に保持し、正確な秤量を行うことが可能となった。
【００２７】
該計量皿の側面の立ち上がり部は立ち上がり部において、一部が外側に広がった形状の部分を有する面を含むことも有効である。これにより、葉先の広がった葉物野菜等でも安定して保持することが可能となる。また、該計量皿の側面の立ち上がり部は立ち上がり部において、傾斜した切り欠きを有する面を含むことも有効である。これにより、さらに素地性が向上し、秤量安定性が向上する。
【００２８】
該組み合わせ計量機用計量皿、これを備えた組み合わせ計量機及び該組み合わせ計量機による計量方法に於いて、該組み合わせ計量機用計量皿が粘弾性材質で作られていることを特徴とし、該粘弾性材質は合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００２９】
前記のように計量皿に該粘弾性材質を用いることにより、葉物野菜などの軟弱な秤量対象物を傷つけることなく秤量を行うことが可能となった。
【００３０】
さらに、該組み合わせ計量機用計量皿、これを備えた組み合わせ計量機及び該組み合わせ計量機による計量方法に於いて、該組み合わせ計量機用計量皿が一部あるいは全体が透光性の部材で形成され、該透光性の部材の部位から該選択された最適組み合わせの重量計測部位を示す指示機構の指示を視認しうるようにすることも有効である。これにより、特に他の野菜類に較べてサイズが大きくなる傾向にある葉物野菜に対応して大きめのサイズの計量皿を用いる場合に於いても表示灯火の視認が確実となり、作業効率が向上する。
【００３１】
また、該組み合わせ計量機用計量皿、これを備えた組み合わせ計量機及び該組み合わせ計量機による計量方法に於いて、該計量皿に用いる略Ｖ字型の部材が、角度を調整する機構を備えることも有効である。これにより、対象となる葉物野菜等に対応して計量皿を任意に傾けることが出来るようになり、作業効率が向上するとともに秤量の精度も向上させることが出来た。
【００３２】
図３は、本発明に係る組み合わせ計量機の形態を示す概念図である。図中に０乃至９の数字を付した矩形で示されている部分に、本発明に係る組み合わせ計量機用計量皿を装備して本発明に係る組み合わせ計量機が構成され、これを用いた組み合わせ計量方法が本発明に係る組み合わせ計量機による計量方法である。ここで、計量皿の数は任意に設置可能であり、例えば１２以上としても全く問題ない。
【００３３】
作業者が各計量皿に秤量対象、この場合は葉物野菜等を載せると、装置内で組み合わせ重量が規定重量以上であり且つ最小となる最適組み合わせを計算し、最適な組み合わせを指示機構１０１の点灯により指示する。これに応じて作業者は葉物野菜等をピックアップし、袋詰めなどを行う。
【００３４】
本実施例に於いて、選択された最適組み合わせの重量計測部位を示す指示機構は、着色灯火によるものとし、さらに着色灯火としてＬＥＤに用いた。着色灯火はその形状には限定はなく、また位置についても作業者絡みやすい位置であれば問題無い。また本発明に係る組み合わせ計量機は、さらに音声による案内機構を有することも有効であり、該音声による案内機構は、単量オーバー警告、取り間違い警告或いは滞留警告の際に発音するもさらに有効である。作業者はこれにより警告発生を確実に認識できる。
【産業上の利用可能性】
【００３５】
本発明に係る組み合わせ計量機は、簡素な構成でコストが安く、各種の野菜等の商品に簡単な段取り変更で対応可能であるとともに、作業者の熟練度に対応して熟練者にも初心者にも効率の良い作業が可能であり、且つ、葉物等の軟弱野菜の秤量において軟弱野菜を傷つけることなく、葉物等の広がった形状であっても正確な秤量が可能な組み合わせ計量機用計量皿、組み合わせ計量機及び組み合わせ計量機による計量方法を実現し、もって産業の発展に寄与するものである。
【符号の説明】
【００３６】
１０１    最適組み合わせの重量計測部位を示す着色灯火
【図１】
2017138184.tif 000003
【図２】
2017138184.tif 000004
【図３】
2017138184.tif 000005
【手続補正書】
【提出日】平成28年2月3日(2016.2.3)
【手続補正２】
【補正対象書類名】明細書
【補正対象項目名】全文
【補正方法】変更
【補正の内容】
【発明の詳細な説明】
【技術分野】
【０００１】
本発明は、野菜等を規定の重量以上且つ最小となる組み合わせを秤量するための組み合わせ計量機に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
これらの課題を解決するため、簡素な構成でコストが安く、各種の野菜等の商品に簡単な段取り変更で対応可能であるとともに、効率の良い作業が可能な組み合わせ計量機を実現することが急務となっている。
【０００９】
ここで、特にミニトマト等の一包の個数が多くなる野菜等においては、秤量に近いと考えられ且つ明らかにオーバーしない範囲で載置した秤量皿（親皿）と、少量を載置した秤量皿（子皿）の組み合わせで秤量するのが効率的である。
【００１０】
また、このような構成であれば、親皿と子皿は一列の配置であっても効率的に作業することが可能であり、二列の配置の場合には両側で別個に作業することができればさらに効率が向上する。
【００１１】
このように、組み合わせ計量機としては簡素な構成でコストが安く、親子計量を可能とし、作業効率を向上させるものが求められている。
【課題を解決するための手段】
【００１２】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機であって、該計量機は複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、組み合わせ計量機である。
【００１３】
また本発明は、該組み合わせ計量機において、該計量機は複数の計量皿が略直線的に配列された２列の計量皿列からなり、該組み合わせ重量が規定重量以上であり且つ最小となる最適組み合わせを計算する際に、該略直線的に配列された一方の列の何れかの計量皿を主たる計量対象（親皿）とし、前記親皿と異なった列にある従たる計量対象である計量皿（子皿）の組み合わせを計算し、選択された最適組み合わせの重量計測部位を指示することを特徴とする、組み合わせ計量機である。
【００１４】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。さらに該指示機構の灯火は、ＬＥＤによることを特徴とする。
【００１５】
また本発明は、親皿のみの計量された重量が規定範囲内であった場合、親皿のみを指示機構により指示する機能を有することを特徴とする。
【００１６】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、作業者が前記指示に則り規定重量範囲内にある物品をピックアップするモードを搭載したことを特徴とする、組み合わせ計量機である。
【００１７】
また本発明は、該個々の測定部位の重量が規定重量範囲内にあることを示す指示機構は、測定された重量が規定重量を下回った場合は指示を発報せず、測定された重量が規定重量を上回った場合は重量が規定重量範囲内にあることを示す指示とは異なった指示を発報することを特徴とする。
【００１８】
また本発明は、該重量が規定重量範囲内にあることを示す指示とは異なった指示は、重量が規定重量範囲内にあることを示す指示が灯火点灯の場合、他色での点灯或いは点滅によることを特徴とする。
【００１９】
また本発明は、該重量が規定重量範囲内にあることを示す指示とは異なった指示は、音声、ブザー或いは警告音であることを特徴とする。
【００２０】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該計量機は複数の計量皿が略直線的に配列された１又は２列の計量皿列からなり、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、複数の測定部位に於いて計量物が規定重量範囲内の場合のみ指示機構が指示をモード発報する、チェックモードを搭載したことを特徴とする、組み合わせ計量機である。
【００２１】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００２２】
また本発明は、該計量皿の一部あるいは全体が透光性の部材で形成され、該透光性の部材の部位から該選択された最適組み合わせの重量計測部位を示す指示機構の指示を視認しうることを特徴とする。
【００２３】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機であって、該計量機は複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、組み合わせ計量機を用いた計量方法である。
【００２４】
また本発明は、該組み合わせ計量機を用いた計量方法において、該計量機は複数の計量皿が略直線的に配列された２列の計量皿列からなり、該組み合わせ重量が規定重量以上であり且つ最小となる最適組み合わせを計算する際に、該略直線的に配列された一方の列の何れかの計量皿を主たる計量対象（親皿）とし、前記親皿と異なった列にある従たる計量対象である計量皿（子皿）の組み合わせを計算し、選択された最適組み合わせの重量計測部位を指示することを特徴とする、組み合わせ計量機を用いた計量方法である。
【００２５】
また本発明は、該組み合わせ計量機を用いた計量方法において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。さらに該指示機構の灯火は、ＬＥＤによることを特徴とする。
【００２６】
また本発明は、親皿のみの計量された重量が規定範囲内であった場合、親皿のみを指示機構により指示する機能を有することを特徴とする。
【００２７】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、作業者が前記指示に則り規定重量範囲内にある物品をピックアップするモードを搭載したことを特徴とする、組み合わせ計量機を用いた計量方法である。
【００２８】
また本発明は、該個々の測定部位の重量が規定重量範囲内にあることを示す指示機構は、測定された重量が規定重量を下回った場合は指示を発報せず、測定された重量が規定重量を上回った場合は重量が規定重量範囲内にあることを示す指示とは異なった指示を発報することを特徴とする。
【００２９】
また本発明は、該重量が規定重量範囲内にあることを示す指示とは異なった指示は、重量が規定重量範囲内にあることを示す指示が灯火点灯の場合、他色での点灯或いは点滅によることを特徴とする。
【００３０】
また本発明は、該重量が規定重量範囲内にあることを示す指示とは異なった指示は、音声、ブザー或いは警告音であることを特徴とする。
【００３１】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該計量機は複数の計量皿が略直線的に配列された１又は２列の計量皿列からなり、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、複数の測定部位に於いて計量物が規定重量範囲内の場合のみ指示機構が指示をモード発報する、チェックモードを搭載したことを特徴とする、組み合わせ計量機を用いた計量方法である。
【００３２】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００３３】
また本発明は、該計量皿の一部あるいは全体が透光性の部材で形成され、該透光性の部材の部位から該選択された最適組み合わせの重量計測部位を示す指示機構の指示を視認しうることを特徴とする。
【発明の効果】
【００３４】
本発明に係る組み合わせ計量機は、簡素な構成でコストが安く、効率の良い親子計量を可能とし、作業効率を向上させる組み合わせ計量機を実現し、もって社会に資することが出来る。
【図面の簡単な説明】
【００３５】
【図１】図１は、本発明に係る組み合わせ計量機の形態を示す概念図である。
【発明を実施するための形態】
【００３６】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機であって、該計量機は複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、組み合わせ計量機である。
【００３７】
また本発明は、該組み合わせ計量機において、該計量機は複数の計量皿が略直線的に配列された２列の計量皿列からなり、該組み合わせ重量が規定重量以上であり且つ最小となる最適組み合わせを計算する際に、該略直線的に配列された一方の列の何れかの計量皿を主たる計量対象（親皿）とし、前記親皿と異なった列にある従たる計量対象である計量皿（子皿）の組み合わせを計算し、選択された最適組み合わせの重量計測部位を指示することを特徴とする、組み合わせ計量機である。
【００３８】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。さらに該指示機構の灯火は、ＬＥＤによることを特徴とする。
【００３９】
また本発明は、親皿のみの計量された重量が規定範囲内であった場合、親皿のみを指示機構により指示する機能を有することを特徴とする。
【００４０】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、作業者が前記指示に則り規定重量範囲内にある物品をピックアップするモードを搭載したことを特徴とする、組み合わせ計量機である。
【００４１】
また本発明は、該個々の測定部位の重量が規定重量範囲内にあることを示す指示機構は、測定された重量が規定重量を下回った場合は指示を発報せず、測定された重量が規定重量を上回った場合は重量が規定重量範囲内にあることを示す指示とは異なった指示を発報することを特徴とする。
【００４２】
また本発明は、該重量が規定重量範囲内にあることを示す指示とは異なった指示は、重量が規定重量範囲内にあることを示す指示が灯火点灯の場合、他色での点灯或いは点滅によることを特徴とする。
【００４３】
また本発明は、該重量が規定重量範囲内にあることを示す指示とは異なった指示は、音声、ブザー或いは警告音であることを特徴とする。
【００４４】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該計量機は複数の計量皿が略直線的に配列された１又は２列の計量皿列からなり、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、複数の測定部位に於いて計量物が規定重量範囲内の場合のみ指示機構が指示をモード発報する、チェックモードを搭載したことを特徴とする、組み合わせ計量機である。
【００４５】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００４６】
また本発明は、該計量皿の一部あるいは全体が透光性の部材で形成され、該透光性の部材の部位から該選択された最適組み合わせの重量計測部位を示す指示機構の指示を視認しうることを特徴とする。
【００４７】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機であって、該計量機は複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、組み合わせ計量機を用いた計量方法である。
【００４８】
また本発明は、該組み合わせ計量機を用いた計量方法において、該計量機は複数の計量皿が略直線的に配列された２列の計量皿列からなり、該組み合わせ重量が規定重量以上であり且つ最小となる最適組み合わせを計算する際に、該略直線的に配列された一方の列の何れかの計量皿を主たる計量対象（親皿）とし、前記親皿と異なった列にある従たる計量対象である計量皿（子皿）の組み合わせを計算し、選択された最適組み合わせの重量計測部位を指示することを特徴とする、組み合わせ計量機を用いた計量方法である。
【００４９】
また本発明は、該組み合わせ計量機を用いた計量方法において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。さらに該指示機構の灯火は、ＬＥＤによることを特徴とする。
【００５０】
また本発明は、親皿のみの計量された重量が規定範囲内であった場合、親皿のみを指示機構により指示する機能を有することを特徴とする。
【００５１】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、作業者が前記指示に則り規定重量範囲内にある物品をピックアップするモードを搭載したことを特徴とする、組み合わせ計量機を用いた計量方法である。
【００５２】
また本発明は、該個々の測定部位の重量が規定重量範囲内にあることを示す指示機構は、測定された重量が規定重量を下回った場合は指示を発報せず、測定された重量が規定重量を上回った場合は重量が規定重量範囲内にあることを示す指示とは異なった指示を発報することを特徴とする。
【００５３】
また本発明は、該重量が規定重量範囲内にあることを示す指示とは異なった指示は、重量が規定重量範囲内にあることを示す指示が灯火点灯の場合、他色での点灯或いは点滅によることを特徴とする。
【００５４】
また本発明は、該重量が規定重量範囲内にあることを示す指示とは異なった指示は、音声、ブザー或いは警告音であることを特徴とする。
【００５５】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該計量機は複数の計量皿が略直線的に配列された１又は２列の計量皿列からなり、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、複数の測定部位に於いて計量物が規定重量範囲内の場合のみ指示機構が指示をモード発報する、チェックモードを搭載したことを特徴とする、組み合わせ計量機を用いた計量方法である。
【００５６】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００５７】
また本発明は、該計量皿の一部あるいは全体が透光性の部材で形成され、該透光性の部材の部位から該選択された最適組み合わせの重量計測部位を示す指示機構の指示を視認しうることを特徴とする。
【実施例１】
【００５８】
図１は、本発明に係る組み合わせ計量機の形態を示す概念図である。図中の０から１１までの番号が振られている部分がそれぞれの計量皿であり、ここに秤量対象の野菜などを載置し、規定の重量以上且つ最小となる組み合わせを秤量、表示し、その表示に従って作業者がピックアップして袋詰め等の梱包を行う。本発明に於いては、複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示する。
【００５９】
ここで、本実施例においては図１の１０１に示した親皿と図１の１０２に示した子皿により、片側の一列で親子計量ができるように設定されている。これにより、ミニトマトなどの一包の個数が多くなる野菜等においては、秤量に近いと考えられ且つ明らかにオーバーしない範囲で載置した秤量皿（親皿）と、少量を載置した秤量皿（子皿）の組み合わせで秤量するのが効率的であり、また親子計量では一般の秤量よりも規定重量にマッチする確率が高いから通常よりも秤量皿が少なくても十分に機能する。よって、本実施例では片側一列の６秤量皿を用いた。
【００６０】
このような構成であれば、親皿と子皿は一列の配置であっても効率的に作業することが可能であり、二列の配置の場合には両側で別個に作業することができればさらに効率が向上する。
【００６１】
他の構成として、親皿と子皿を別の列に割り当てることも有効である。これにより、複数の親に対しての秤量なども可能になり、さらに効率が向上する。
【００６２】
本実施例においては、親皿のみの計量された重量が規定範囲内であった場合、親皿のみを指示機構により指示する機能を有する。これにより、さらに効率が向上する。
【００６３】
また本実施例においては、複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、作業者が前記指示に則り規定重量範囲内にある物品をピックアップするモードを搭載した。これにより、さらに効率が向上する。
【００６４】
また本実施例においては、個々の測定部位の重量が規定重量範囲内にあることを示す指示機構は、測定された重量が規定重量を下回った場合は指示を発報せず、測定された重量が規定重量を上回った場合は重量が規定重量範囲内にあることを示す指示とは異なった指示を発報するようにした。、該重量が規定重量範囲内にあることを示す指示とは異なった指示は、重量が規定重量範囲内にあることを示す指示が灯火点灯の場合、他色での点灯或いは点滅によるようにした。これにより、さらに効率が向上する。
【００６５】
また本実施例においては、重量が規定重量範囲内にあることを示す指示とは異なった指示は、音声、ブザー或いは警告音としている。
【００６６】
また本実施例においては、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機に於いて、該計量機は複数の計量皿が略直線的に配列された１又は２列の計量皿列からなり、該複数の重量計測部位における測定重量データを取得し、これらの重量を計算する手段と、該個々の測定部位の重量が規定重量範囲内であるかを計算する手段と、該個々の測定部位の重量が規定重量範囲内にあることを示す指示機構を有し、複数の測定部位に於いて計量物が規定重量範囲内の場合のみ指示機構が指示をモード発報する、チェックモードを搭載した。これにより、さらに効率が向上する。
【００６７】
また本実施例においては、計量皿としてポリプロピレン製のものを用いた。ここで、計量皿としては、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【００６８】
また本実施例においては、計量皿の一部が透光性の部材で形成され、該透光性の部材の部位から該選択された最適組み合わせの重量計測部位を示す指示機構の指示を視認しうるようにした。これにより、葉物等の秤量においても視認性が向上し、作業効率が向上する。
【産業上の利用可能性】
【００６９】
本発明に係る組み合わせ計量機は、簡素な構成でコストが安く、効率の良い親子計量を可能とし、作業効率を向上させる組み合わせ計量機を実現するものであり、組み合わせ計量機において、、該計量機は複数の計量皿が略直線的に配列された１又は２列の計量皿列からなり、該組み合わせ重量が規定重量以上であり且つ最小となる最適組み合わせを計算する際に、該略直線的に配列された列内で指定された１個の計量皿を主たる計量対象（親皿）とし、前記親皿と同一列内にある前記親皿以外の従たる計量対象である計量皿（子皿）の組み合わせを計算し、選択された最適組み合わせの重量計測部位を指示するようにし、これにより作業効率を向上せしめ、産業の発展に寄与するものである。
【符号の説明】
【００７０】
１０１    親皿
１０２    子皿
【手続補正３】
【補正対象書類名】特許請求の範囲
【補正対象項目名】全文
【補正方法】変更
【補正の内容】
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量機は複数の計量皿が略直線的に配列された１又は２列の計量皿列からなり、
該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、
組み合わせ計量機。
【請求項２】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量機は複数の計量皿が略直線的に配列された２列の計量皿列からなり、
該組み合わせ重量が規定重量以上であり且つ最小となる最適組み合わせを計算する際に、該略直線的に配列された一方の列の何れかの計量皿を主たる計量対象（以下、親皿という）とし、前記親皿と異なった列にある従たる計量対象である計量皿（以下、子皿という）の組み合わせを計算し、選択された最適組み合わせの重量計測部位を指示することを特徴とする、
組み合わせ計量機。
【請求項３】
該計量機は、
親皿のみの計量された重量が規定範囲内であった場合、
親皿のみを指示機構により指示する機能を有することを特徴とする、
請求項１又は２記載の、組み合わせ計量機。
【請求項４】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機に於いて、
該複数の重量計測部位における測定重量データを取得し、これらの重量を計算する手段と、
該個々の測定部位の重量が規定重量範囲内であるかを計算する手段と、
該個々の測定部位の重量が規定重量範囲内にあることを示す指示機構を有し、
作業者が前記指示に則り規定重量範囲内にある物品をピックアップするモードを搭載したことを特徴とする、
組み合わせ計量機。
【請求項５】
該個々の測定部位の重量が規定重量範囲内にあることを示す指示機構は、
測定された重量が規定重量を下回った場合は指示を発報せず、
測定された重量が規定重量を上回った場合は重量が規定重量範囲内にあることを示す指示とは異なった指示を発報することを特徴とする、
請求項４記載の組み合わせ計量機。
【請求項６】
該重量が規定重量範囲内にあることを示す指示とは異なった指示は、
重量が規定重量範囲内にあることを示す指示が灯火点灯の場合、他色での点灯或いは点滅によることを特徴とする、
請求項５記載の組み合わせ計量機。
【請求項７】
該重量が規定重量範囲内にあることを示す指示とは異なった指示は、
音声、ブザー或いは警告音であることを特徴とする、
請求項５記載の組み合わせ計量機。
【請求項８】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機に於いて、
該計量機は複数の計量皿が略直線的に配列された１又は２列の計量皿列からなり、
該複数の重量計測部位における測定重量データを取得し、これらの重量を計算する手段と、
該個々の測定部位の重量が規定重量範囲内であるかを計算する手段と、
該個々の測定部位の重量が規定重量範囲内にあることを示す指示機構を有し、
複数の測定部位に於いて計量物が規定重量範囲内の場合のみ指示機構が指示をモード発報する、チェックモードを搭載したことを特徴とする、
組み合わせ計量機。
【請求項９】
該計量皿は、
粘弾性材質で作られていることを特徴とする、
請求項１乃至８のいずれか一に記載の、組み合わせ計量機。
【請求項１０】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項９に記載の、組み合わせ計量機。
【請求項１１】
該計量皿は、
一部あるいは全体が透光性の部材で形成され、
該透光性の部材の部位から該選択された最適組み合わせの重量計測部位を示す指示機構の指示を視認しうることを特徴とする、
請求項１乃至１０のいずれか一に記載の、組み合わせ計量機。
【請求項１２】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量機は複数の計量皿が略直線的に配列された１又は２列の計量皿列からなり、
該組み合わせ重量が規定重量以上であり且つ最小となる最適組み合わせを計算する際に、該略直線的に配列された列内で指定された１個の計量皿を主たる計量対象（以下、親皿という）とし、前記親皿と同一列内にある前記親皿以外の従たる計量対象である計量皿（以下、子皿という）の組み合わせを計算し、選択された最適組み合わせの重量計測部位を指示することを特徴とする、
組み合わせ計量機を用いた計量方法。
【請求項１３】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機であって、
該計量機は複数の計量皿が略直線的に配列された２列の計量皿列からなり、
該組み合わせ重量が規定重量以上であり且つ最小となる最適組み合わせを計算する際に、該略直線的に配列された一方の列の何れかの計量皿を主たる計量対象（以下、親皿という）とし、前記親皿と異なった列にある従たる計量対象である計量皿（以下、子皿という）の組み合わせを計算し、選択された最適組み合わせの重量計測部位を指示することを特徴とする、
組み合わせ計量機用いた計量方法。
【請求項１４】
該計量機は、
親皿のみの計量された重量が規定範囲内であった場合、
親皿のみを指示機構により指示する機能を有することを特徴とする、
請求項１２又は１３記載の、組み合わせ計量機用いた計量方法。
【請求項１５】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機に於いて、
該複数の重量計測部位における測定重量データを取得し、これらの重量を計算する手段と、
該個々の測定部位の重量が規定重量範囲内であるかを計算する手段と、
該個々の測定部位の重量が規定重量範囲内にあることを示す指示機構を有し、
作業者が前記指示に則り規定重量範囲内にある物品をピックアップするモードを搭載したことを特徴とする、
組み合わせ計量機用いた計量方法。
【請求項１６】
該個々の測定部位の重量が規定重量範囲内にあることを示す指示機構は、
測定された重量が規定重量を下回った場合は指示を発報せず、
測定された重量が規定重量を上回った場合は重量が規定重量範囲内にあることを示す指示とは異なった指示を発報することを特徴とする、
請求項１５記載の組み合わせ計量機用いた計量方法。
【請求項１７】
該重量が規定重量範囲内にあることを示す指示とは異なった指示は、
重量が規定重量範囲内にあることを示す指示が灯火点灯の場合、他色での点灯或いは点滅によることを特徴とする、
請求項１６記載の組み合わせ計量機用いた計量方法。
【請求項１８】
該重量が規定重量範囲内にあることを示す指示とは異なった指示は、
音声、ブザー或いは警告音であることを特徴とする、
請求項１６記載の組み合わせ計量機用いた計量方法。
【請求項１９】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機に於いて、
該計量機は複数の計量皿が略直線的に配列された１又は２列の計量皿列からなり、
該複数の重量計測部位における測定重量データを取得し、これらの重量を計算する手段と、
該個々の測定部位の重量が規定重量範囲内であるかを計算する手段と、
該個々の測定部位の重量が規定重量範囲内にあることを示す指示機構を有し、
複数の測定部位に於いて計量物が規定重量範囲内の場合のみ指示機構が指示をモード発報する、チェックモードを搭載したことを特徴とする、
組み合わせ計量機用いた計量方法。
【請求項２０】
該計量皿は、
粘弾性材質で作られていることを特徴とする、
請求項１２乃至１９のいずれか一に記載の、組み合わせ計量機用いた計量方法。
【請求項２１】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項２０に記載の、組み合わせ計量機用いた計量方法。
【請求項２２】
該計量皿は、
一部あるいは全体が透光性の部材で形成され、
該透光性の部材の部位から該選択された最適組み合わせの重量計測部位を示す指示機構の指示を視認しうることを特徴とする、
請求項１２乃至２１のいずれか一に記載の、組み合わせ計量機用いた計量方法。
【手続補正４】
【補正対象書類名】図面
【補正対象項目名】全図
【補正方法】変更
【補正の内容】
【図１】
2017138184.tif 000006